【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】
エネルギー供給型外科手術装置において、
（ａ）ハウジングと、
（ｂ）前記ハウジングの中に配置されて超音波エネルギーを発生する、音響組立体であって、当該音響組立体が、導電性で前記ハウジングから延出している導波管を含み、当該導波管が、固体コアを有する、音響組立体と、
前記導波管に連結されたフロントマウント部であって、前記音響組立体を前記ハウジングから吊り下げて振動を絶縁するための、弾性取付リングを有する、フロントマウント部と、
（ｃ）前記導波管に動作可能に連結されて当該導波管に高周波エネルギーを伝達する、導電性素子と、
（ｄ）前記音響組立体の遠位端部に配置されて超音波エネルギーまたは高周波エネルギーを当該遠位端部に伝達する、エンドイフェクタと、
を具備する、
外科手術装置。
【請求項２】        
請求項１に記載の外科手術装置において、
前記エンドイフェクタが、湾曲した部材を有する湾曲したエンドイフェクタであり、
当該湾曲した部材が、少なくとも１個の遠位の埋め込み表面部、および当該湾曲した部材の湾曲部分に沿って少なくとも１個の凝固表面部、を有する、外科手術装置。
【請求項3】        
請求項２に記載の外科手術装置において、
前記少なくとも１個の凝固表面部が、前記湾曲した部材の前記湾曲部分の外面上に配置されている、外科手術装置。
【請求項４】        
請求項３に記載の外科手術装置において、
電気的信号を発生する発生器組立体、
を含み、
当該電気的信号が、前記音響組立体により超音波エネルギーに変換可能である、外科手術装置。
【請求項5】        
請求項４に記載の外科手術装置において、
前記発生器組立体が、高周波エネルギーを発生する、外科手術装置。
【請求項6】        
請求項５に記載の外科手術装置において、
前記発生器組立体が、高周波エネルギー、および超音波電気的信号を同時に発生する、外科手術装置。
【請求項７】
請求項６に記載の外科手術装置において、
前記発生器組立体を作動させるために当該発生器組立体に取り付け可能な制御部材、
を有する、
外科手術装置。
【請求項８】        
請求項７に記載の外科手術装置において、
前記制御部材が、足踏み式に作動される、外科手術装置。
【請求項９】        
請求項８に記載の外科手術装置において、
前記ハウジング上に取り付けられて前記発生器組立体から前記エンドイフェクタに供給可能なエネルギーの種類を選択するためのスイッチ、
を含み、
当該スイッチが、
（ａ）超音波エネルギーに対応する第１の位置、
（ｂ）高周波エネルギーに対応する第２の位置、ならびに、
（ｃ）高周波エネルギーおよび超音波エネルギーの組み合せに対応する第３の位置、
から移動可能である、外科手術装置。
【請求項１０】
請求項１に記載の外科手術装置において、
前記フロントマウント部に動作可能に連結されたフロントベル部、
を含み、
当該フロントベル部および当該フロントマウント部は、当該フロントベル部と当該フロントマウント部との間で前記導電性素子を動作可能に捕らえる、外科手術装置。  
【請求項１１】
請求項１０に記載の外科手術装置において、
前記フロントベル部に動作可能に連結されたトランスデューサスタック、
を含み、
当該トランスデューサスタックが、電気的信号を受信すると前記エンドイフェクタに超音波エネルギーを発生して伝達する、外科手術装置。
【請求項１２】
請求項１１に記載の外科手術装置において、
前記フロントベル部に動作可能に連結された端部ベル部、
を含み、
当該端部ベル部および当該フロントベル部が、前記トランスデューサスタックを動作可能に拘束している、外科手術装置。
【請求項１３】
請求項１１に記載の外科手術装置において、
前記発生器組立体から前記トランスデューサスタックに電気的信号を伝達するための電力配管、
を含む、
外科手術装置。
【請求項１４】
請求項１に記載の外科手術装置において、
前記エンドイフェクタが、円筒形状の軸部を有する傾斜した表面のエンドイフェクタであり、
当該軸部が、当該軸部の遠位端部に埋め込み表面部、および当該埋め込み表面部から近位側に延びる傾斜した凝固表面部を有しており、
当該傾斜した凝固表面部が、前記円筒形状の軸部の長さ方向軸から傾斜しており、さらに前記埋め込み表面部から外側に向かって傾斜している、外科手術装置。
【請求項１５】
請求項１４に記載の外科手術装置において、
電気的信号を発生する発生器組立体、
を含み、
当該電気的信号が、前記音響組立体により超音波エネルギーに変換可能である、外科手術装置。
【請求項１６】
請求項１５に記載の外科手術装置において、
前記発生器組立体が、高周波エネルギーを発生する、外科手術装置。
【請求項１７】
請求項１６に記載の外科手術装置において、
前記発生器組立体が、高周波エネルギー、および超音波電気的信号を同時に発生する、外科手術装置。
【請求項１８】
請求項１７に記載の外科手術装置において、
前記発生器組立体を作動させるために当該発生器組立体に取り付け可能な制御部材、
を有する、
外科手術装置。
【請求項１９】
請求項１８に記載の外科手術装置において、
前記制御部材が、足踏み式に作動される、外科手術装置。
【請求項２０】
請求項１９に記載の外科手術装置において、
前記ハウジング上に取り付けられて前記発生器組立体から前記エンドイフェクタに供給可能なエネルギーの種類を選択するためのスイッチ、
を含み、
当該スイッチが、
超音波エネルギーに対応する第１の位置、
高周波エネルギーに対応する第２の位置、ならびに、
高周波エネルギーおよび超音波エネルギーの組み合せに対応する第３の位置、
から移動可能である、外科手術装置。
【請求項２１】
請求項２０に記載の外科手術装置において、
前記フロントマウント部に動作可能に連結されたフロントベル部、
を含み、
当該フロントベル部および当該フロントマウント部は、当該フロントベル部と当該フロントマウント部との間で前記導電性素子を動作可能に捕らえる、外科手術装置。
【請求項２２】
請求項２１に記載の外科手術装置において、
前記フロントベル部に動作可能に連結されたトランスデューサスタック、
を含み、
当該トランスデューサスタックが、電気的信号を受信すると前記エンドイフェクタに超音波エネルギーを発生して伝達する、外科手術装置。
【請求項２３】
請求項２２に記載の外科手術装置において、
前記フロントベル部に動作可能に連結された端部ベル部、
を含み、
当該端部ベル部および当該フロントベル部が、前記トランスデューサスタックを動作可能に拘束している、外科手術装置。
【請求項２４】
請求項２３に記載の外科手術装置において、
前記発生器組立体から前記トランスデューサスタックに電気的信号を伝達するための電力配管、
を含む、
外科手術装置。
【請求項２５】
請求項１に記載の外科手術装置において、
前記エンドイフェクタが、円錐台形状の軸部を有する円錐台形状のエンドイフェクタであり、
当該軸部が、遠位面を有し、
当該遠位面が、埋め込み表面部を画定しており、
当該円錐台形状の軸部が、当該埋め込み表面部から離間して傾斜する外周凝固表面部をさらに有している、外科手術装置。
【請求項２６】
請求項２５に記載の外科手術装置において、
電気的信号を発生する発生器組立体、
を含み、
当該電気的信号が、前記音響組立体により超音波エネルギーに変換可能である、外科手術装置。
【請求項２７】
請求項２６に記載の外科手術装置において、
前記発生器組立体が、高周波エネルギーを発生する、外科手術装置。
【請求項２８】
請求項２７に記載の外科手術装置において、
前記発生器組立体が、高周波エネルギー、および超音波電気的信号を同時に発生する、外科手術装置。
【請求項２９】
請求項２８に記載の外科手術装置において、
前記発生器組立体を作動させるために当該発生器組立体に取り付け可能な制御部材、
を有する、
外科手術装置。
【請求項３０】
請求項２９に記載の外科手術装置において、
前記制御部材が、足踏み式に作動される、外科手術装置。
【請求項３１】
請求項３０に記載の外科手術装置において、
前記ハウジング上に取り付けられて前記発生器組立体から前記エンドイフェクタに供給可能なエネルギーの種類を選択するためのスイッチ、
を含み、
当該スイッチが、
超音波エネルギーに対応する第１の位置、
高周波エネルギーに対応する第２の位置、ならびに、
高周波エネルギーおよび超音波エネルギーの組み合せに対応する第３の位置、
から移動可能である、外科手術装置。
【請求項３２】
請求項３１に記載の外科手術装置において、
前記フロントマウント部に動作可能に連結されたフロントベル部、
を含み、
当該フロントベル部および当該フロントマウント部は、当該フロントベル部と当該フロントマウント部との間で前記導電性素子を動作可能に捕らえる、外科手術装置。
【請求項３３】
請求項３２に記載の外科手術装置において、
前記フロントベル部に動作可能に連結されたトランスデューサスタック、
を含み、
当該トランスデューサが、電気的信号を受信すると前記エンドイフェクタに超音波エネルギーを発生して伝達する、外科手術装置。
【請求項３４】
請求項３３に記載の外科手術装置において、
前記フロントベル部に動作可能に連結された端部ベル部、
を含み、
当該端部ベル部および当該フロントベル部が、前記トランスデューサスタックを動作可能に拘束している、外科手術装置。
【請求項３５】
請求項３４に記載の外科手術装置において、
前記発生器組立体から前記トランスデューサスタックに電気的信号を伝達するための電力配管、
を含む、
外科手術装置。